(57)【要約】【課題】観測対象の作業者及び設備が多数ある場合も記録媒体の大きさは変化せず、観測者の観測負荷を低減できる自動集計システム及びそれを利用したデータの集計加工方法を提供する。【解決手段】タブレットＰＣ（パーソナルコンピュータ）の画面で作業者名に対応する作業項目を選択する手段と、前記作業者名を別の作業者名に変更し、別の作業者名に対応する作業項目を選択する手段と、設備名に対する設備状態を選択する手段と、前記設備名を別の設備名に変更し、別の設備名に対応する設備状態を選択する手段と、各々の作業項目を選択する時刻を自動的に入力する手段と、各々の設備状態を選択する時刻を自動的に入力する手段と、入力されたデータを集計加工する手段を含む、自動集計システム。【選択図】図３
2015185117.tif 000002
【特許請求の範囲】
【請求項１】
タブレットＰＣ（パーソナルコンピュータ）の画面で作業者名に対応する作業項目を選択する手段と、前記作業者名を別の作業者名に変更し、別の作業者名に対応する作業項目を選択する手段と、設備名に対する設備状態を選択する手段と、前記設備名を別の設備名に変更し、別の設備名に対応する設備状態を選択する手段と、各々の作業項目を選択する時刻を自動的に入力する手段と、各々の設備状態を選択する時刻を自動的に入力する手段と、入力されたデータを集計加工する手段を含む、自動集計システム。
【請求項２】
タブレットＰＣにおいて、入力されたデータを集計加工する手段を含む請求項１に記載の自動集計システム。
【請求項３】
更に、タブレットＰＣから別のＰＣにデータを送信する手段を含む請求項１又は２に記載の自動集計システム。
【請求項４】
請求項１〜３のいずれか一項に記載の自動集計システムを用いるデータの集計加工方法。
【発明の詳細な説明】
【技術分野】
【０００１】
本発明は、タブレットＰＣ（パーソナルコンピュータ）を用いて作業者名、設備名、作業項目、設備状態、観測時刻の情報を収集し、作業の流れや作業分析を行う自動集計システムに関する。また、本発明は、自動集計システムを利用したデータの集計加工方法に関する。
【背景技術】
【０００２】
製造現場では作業者の作業や設備の改善を行うために現状把握として作業分析を行う。そして、作業分析に用いられる主な方法にワークサンプリング法（瞬間観測法）がある。一人の観測者が複数の作業者、設備の分析を行うことが可能であり、観測者は、図１、２に示す観測用紙及び要素作業表を持ち、作業場を決められた時刻に決められた経路に従い巡回し、その間に対象作業者が行っている作業及び設備の状態を要素作業表の中の項目から選定し観測用紙に記入する。
【０００３】
上記分析はビデオカメラを用いて作業場内を撮影し、後で撮影した映像を基に観測用紙に記入しても良い。そして、観測用紙に記入したデータをＰＣに入力し統計表又は分析グラフ等を人的作業もしくはＰＣによってその都度作成する。その結果を基に作業場の現状把握、改善案の検討等を行う。特許文献１には携帯端末を使用して建設業を始めとする非ライン型の作業能率の測定を行う作業測定システムが記されている。特許文献２には小型の携帯用電子装置を用いて観測と登録を同時に行う方法が記されている。
【先行技術文献】
【特許文献】
【０００４】
【特許文献１】特開平１０−８７１９号公報
【特許文献２】特開２００４−２１９７２号公報
【発明の概要】
【発明が解決しようとする課題】
【０００５】
しかしながら、上記の分析方法には下記のいくつかの課題がある。観測する作業者数、設備数が多い場合、観測者が携帯する観測用紙及び要素作業表が大きくなり携帯し難い。さらに、内容も細かくなるため見ずらく、観測者の負担になる。
【０００６】
さらに、観測終了後に観測用紙に書き込まれたデータをＰＣに入力し統計表又は分析グラフ等を人的作業もしくはＰＣによってその都度作成する必要がある。そのため、観測後のデータ処理に多くの時間を要し、観測中もしくは観測終了後すぐに結果を確認することができない。
【０００７】
また、必要に応じて観測中に要素作業表の修正、追加などを行う場合があるが、用紙での編集は観測中の観測者にとって負担となる。
【０００８】
また、ビデオカメラを用いた分析は観測者の省力化を図ることは可能であるが、ビデオカメラを複数台設置し作業場全体を捉える必要があることや、死角となった場所での作業を判断できないという欠点がある。さらに、ビデオカメラを用いた場合でも集計後の統計表又は分析グラフ等の作成は人的作業もしくはＰＣによってその都度作成しなければならない。
【０００９】
本発明の目的は、観測対象の作業者及び設備が多数ある場合も記録媒体の大きさは変化せず、観測者の観測負荷を低減できる自動集計システム及びそれを利用したデータの集計加工方法を提供することである。
【課題を解決するための手段】
【００１０】
本発明は、タブレットＰＣ（パーソナルコンピュータ）の画面で作業者名に対応する作業項目を選択する手段と、前記作業者名を別の作業者名に変更し、別の作業者名に対応する作業項目を選択する手段と、設備名に対する設備状態を選択する手段と、前記設備名を別の設備名に変更し、別の設備名に対応する設備状態を選択する手段と、各々の作業項目を選択する時刻を自動的に入力する手段と、各々の設備状態を選択する時刻を自動的に入力する手段と、入力されたデータを集計加工する手段を含む、自動集計システムに関する。
また、本発明は、タブレットＰＣにおいて、入力されたデータを集計加工する手段を含む前記の自動集計システムに関する。
また、本発明は、更に、タブレットＰＣから別のＰＣにデータを送信する手段を含む前記の自動集計システムに関する。
また、本発明は、前記の自動集計システム用いるデータの集計加工方法に関する。
【００１１】
本発明のタブレットＰＣは観測者が分析を行う際に携帯するデータ収集装置であり、観測の対象が多い場合でも観測に用いる装置の大きさは変化せず、文字の大きさは観測者の自由に選択できる。さらにタブレットＰＣには対象の全作業者名、全設備名、作業項目、設備状態を予め設定しておくが、必要に応じて項目の追加や編集も行うことができる。
【００１２】
なお、本発明は観測者がタブレットＰＣを用いて観測を行い、収集されたデータは直ぐに集計加工されネットワークで繋がれた指定ＰＣに送られる自動集計システムである。
【００１３】
また、観測者自らが巡回することでビデオカメラを用いた分析で課題となった死角などの影響を無くすことができる。
【発明の効果】
【００１４】
本発明により、観測対象の作業者及び設備が多数ある場合も記録媒体の大きさは変化せず、観測者の観測負荷を低減できる自動集計システム及びそれを利用したデータの集計加工方法を提供することが可能となる。
【図面の簡単な説明】
【００１５】
【図１】ワークサンプリング分析で用いられる観測用紙の例である。
【図２】ワークサンプリング分析で用いられる要素作業表の例である。
【図３】本発明の自動集計システムの観測作業を示すフローチャート図である。
【発明を実施するための形態】
【００１６】
本発明は、タブレットＰＣ（パーソナルコンピュータ）の画面で作業者名に対応する作業項目を選択する手段と、前記作業者名を別の作業者名に変更し、別の作業者名に対応する作業項目を選択する手段と、設備名に対する設備状態を選択する手段と、前記設備名を別の設備名に変更し、別の設備名に対応する設備状態を選択する手段と、各々の作業項目を選択する時刻を自動的に入力する手段と、各々の設備状態を選択する時刻を自動的に入力する手段と、入力されたデータを集計加工する手段を含む、自動集計システムである。
【００１７】
本発明の自動集計システムは、観測者が作業者や設備の作業内容や設備の状態を選択し、その情報を自動で集計加工するためのタブレットＰＣ、タブレットＰＣで集計加工された情報を別のＰＣへ送信するためのネットワーク機器、ネットワーク機器を通じて情報を受信するためのタブレットＰＣとは別のＰＣを有してなるものである。
【００１８】
タブレットＰＣとは平板状の外形を備えタッチパネル式などの表示、入力部を持った携帯可能なパーソナルコンピュータである。なお、本発明のタブレットＰＣはタブレットコンピュータ全般を指し、携帯情報端末でもタッチパネルを備えたものであれば概ね含まれる。
【００１９】
本発明の自動集計システムによれば、観測に使用する観測用紙及び要素作業表がタブレットＰＣの画面に表示されるため、観測対象の作業者及び設備が多数ある場合も記録媒体の大きさは変化せず、観測者の観測負荷を低減できる。さらにタブレットＰＣを用いることで作業項目などの文字サイズの変更や画面の拡大を観測者が自由に変更することができるため観測者の負担を軽減することができる。また、収集されたデータはタブレットＰＣで集計加工されるため観測中であっても途中の結果を確認することも可能である。さらに、集計されたデータはネットワークで繋がれた別のＰＣに送信されるため観測後のデータ処理時間の削減が可能となる。なお、従来通り観測者が現地で測定を行うことでビデオを使用した分析で死角となる場所の作業においても正確な測定が可能となる。
【００２０】
本発明の自動集計システムを用いた場合のデータの集計加工方法について、以下に示す観測者の作業に基づいて説明する（図３のフローチャート図参照）。
１）事前準備として要素作業表を作成し、タブレットＰＣに登録する。要素作業表とは、観測を行う作業場で作業者が行う作業、設備の状態を要素の単位でまとめた表のことである。なお、本発明ではタブレットＰＣを用いて観測を行うため、観測中の要素作業の編集は可能である。
２）さらに、観測を行う前に作業場の対象作業者名及び設備名を上記タブレットＰＣに登録する。また、観測を行う際に工場内を巡回する経路を決定する。
３）観測者は上記タブレットＰＣを持ち巡回経路に従って作業場を巡回する。
４）観測者は巡回中に発見した作業者及び設備名を上記タブレットＰＣの作業者、設備名選択画面から選択する。
５）作業者名、設備名を選択することで上記タブレットＰＣ画面が要素作業表に切り替わり選択した作業者、設備が行っていた作業項目、設備状態を要素作業表から選択する。
６）作業項目、設備状態を要素作業表から選択した時刻を上記タブレットＰＣで自動収集する。
７）上記タブレットＰＣが収集したデータ（作業者(設備)名、作業項目(設備状態)、観測時刻）を基に自動で集計加工、更新を行う。
８）上記タブレットＰＣで集計加工、更新を行ったデータをネットワーク機器で繋がれた別のＰＣに送信する。
９）観測対象となる全作業者、全設備の観測が終わっていない場合は巡回経路を進み３〜８の作業を繰り返す。
１０）巡回経路を１周回り対象作業者及び対象設備の観測を終了した際、観測時刻が設定した観測終了時刻と等しい、もしくは超えていた場合観測は終了となり、観測時刻が観測終了時刻に満たしていない場合３〜９の作業を繰り返す。
本発明により、観測者の作業効率が改善されたことがわかる。
【図１】
2015185117.tif 000003
【図２】
2015185117.tif 000004
【図３】
2015185117.tif 000005